(57)【特許請求の範囲】
【請求項１】
床面に昇降自在のステージ台が設けられ、該ステージ台にペットを配することができるようにしたステージ部(２)と、該ステージ部の背後に設けられる背景用具(３)と、さらに前記ペットを照らす照明器具(４)と前記ペットを写すカメラ(５)とを具備して写真撮影を行うスタジオ装置(Ａ)が、車両(１)に搭載又は牽引されて移動できるようにしたことを特徴とするペット用移動スタジオ付き車。
【請求項２】
前記カメラはフィルム方式のアナログカメラと該アナログカメラのシャッターに同調してシャッターが押されるデジタルカメラとを備え、さらに該デジタルカメラに接続する画像表示装置を備えて該画像表示装置に前記デジタルカメラの画像を映し出せるようにした請求項１記載のペット用移動スタジオ付き車。
【発明の詳細な説明】
【技術分野】
【０００１】
本発明はポートレートスタジオが車に搭載又は牽引されて移動できるようにしたペット用移動スタジオ付き車に関する。
【背景技術】
【０００２】
スナップ写真を撮る場合と違って、ポートレートスタジオを使ったフォーマルな写真を撮ろうとした場合、従来はそのスタジオ撮影ができる写真館等に出向かねばならなかった。こうした写真館等に出向かねばならない不便さを解消するために、出前をする移動スタジオ付き車なる発明技術が提案されている(例えば特許文献１参照)。
【０００３】
【特許文献１】特開平２−１１４２８号公報(第１−３頁）
【０００４】
しかし、特許文献１は任意のライトとバックを設置しただけの簡単なスタジオ付車を開示するにとどまっていた。簡単な証明用写真に対応できるにすぎないものであった。
【０００５】
近年、ペットブームに乗ってペットの写真を綺麗な形で残したい要望が増えつつあるが、特許文献１のスタジオ付車でペットの写真を撮ろうとすると以下のような不具合があった。
【発明の開示】
【発明が解決しようとする課題】
【０００６】
第１に、犬や猫のペットの場合、じっとしていることが少なく動き回り、単なるスタジオ付車では写真撮影が難しかった。第２に、犬等のペットを引き立てるペット用小道具があると、撮った写真の価値を高めることができるが、そのような小道具を備えた移動スタジオ付き車はこれまでなかった。第３に、ペットの買主はシャッターが押された数ある写真のなかから気に入った写真を選ぶことができればより一層高い満足感が得られるが、そのようなシステムを採用する移動スタジオ付き車は存在しなかった。
結局、ペット愛好家がペットの写真を残そうとした場合、ペット用設備の整ったポートレートスタジオのある写真館を探し回ることとなった。しかしながら、そうした設備がある写真館はなかなか見つからず、ある程度の設備があるところで妥協せざるを得なかった。しかも、そのような写真館でもそこまで出向かねばならなかった。都市部ではまだしも一歩離れるとなると上記写真館まで行くのはかなり難儀なものとなっていた。加えて、ペット同伴で訪れようとすると、一層難儀なものになっていた。
【０００７】
本発明は上記問題点を解決するもので、ペットの写真撮影の出前ができ、且つ動き回るペットにあっても静止写真が撮り易く、またペット用小道具を備えてペット主の要望に応えて満足度の高い写真に仕上げることができ、さらにシャッターが押された複数の画像のなかから、写真を取り出す前に、ペット主が気に入った画像を選び、それだけを現像して印画紙に焼き付けた写真にできるペット用移動スタジオ付き車を提供することを目的とする。
【課題を解決するための手段】
【０００８】
上記目的を達成すべく、請求項１に記載の発明の要旨は、床面に昇降自在のステージ台が設けられ、該ステージ台にペットを配することができるようにしたステージ部(２)と、該ステージ部の背後に設けられる背景用具(３)と、さらに前記ペットを照らす照明器具(４)と前記ペットを写すカメラ(５)とを具備して写真撮影を行うスタジオ装置(Ａ)が、車両(１)に搭載又は牽引されて移動できるようにしたことを特徴とするペット用移動スタジオ付き車にある。
請求項２に記載の発明たるペット用移動スタジオ付き車は、請求項１で、カメラはフィルム方式のアナログカメラと該アナログカメラのシャッターに同調してシャッターが押されるデジタルカメラとを備え、さらに該デジタルカメラに接続する画像表示装置を備えて該画像表示装置に前記デジタルカメラの画像を映し出せるようにしたことを特徴とする。
【０００９】
(作用)
請求項１の発明のごとく、床面に昇降自在のステージ台が設けられると、該ステージ台にペットを載せ床面からある程度の高さにすることによって、ペットはじっとし動かなくなるので、ペットの写真が撮り易くなる。また、犬や猫の小さなペットの写真は、従来、被写体が小さいためしゃがみこむ姿勢で写真撮影することが多かったが、ステージ台を所定高さまで上昇させることによって写真撮影がし易くなる。
請求項２の発明のごとく、フィルム方式のアナログカメラとこれに同調するデジタルカメラとを具備し、さらに該デジタルカメラに接続する画像表示装置を具備して、該画像表示装置に前記デジタルカメラの撮った写真を映し出せるようにすると、シャッターが押されたそれぞれの写り具合をデジタルカメラに接続するＯＣＲ等の画像表示装置で前もって確認できるので、そのなかから気に入った画像だけを選び出し、アナログカメラのフィルムを現像処理して印画紙に焼き付け紙状態に仕立てたお気に入りの写真にすることができる。
【発明の効果】
【００１０】
本発明のペット用移動スタジオ付き車は、ペットの写真撮影の出前ができ、しかも動き回ることの多いペットにあって静止写真が撮り易く、さらにペット用小道具を備えて趣きある写真が撮れて価値の高い写真に仕上げることができ、加えてシャッターが押された数ある画像のなかからペット主が気に入ったものだけを選び出し、印画紙に焼付けた写真にできるなど優れた効果を発揮する。
【発明を実施するための最良の形態】
【００１１】
以下、本発明のペット用移動スタジオ付き車(以下、単に「移動スタジオ付き車」という。)について詳述する。図１〜図１４は本発明の移動スタジオ付き車の一形態で、図１はその概略正面断面図、図２は図１のスタジオ装置の要部平面図、図３〜図１４は写真用小道具の説明斜視図である。
【００１２】
移動スタジオ付き車はステージ部２と背景用具３と証明器具４とカメラ５と画像表示装置６とを具備するスタジオ装置Ａが、車両１に搭載又は牽引されて移動できるようにしたものである。図１のごとくコンテナトラックのコンテナ部分を改造した移動スタジオ付き車とするが、トレーラにスタジオ装置Ａを載せてトレーラトラクターに牽引させる移動スタジオ付き車であってもよく、またバスの乗客が載るスペース部分にスタジオ装置Ａを設置するものであってもよい。図１中、符号１０は運転車両頭部、符号１１は荷台、符号１２はコンテナで、該コンテナ１２は後部に観音開きの扉(図示せず）が設けられている。符号１３は庇、符号１９は車輪を示す。符号１５は発電機で主に後述する証明器具４に必要とされるものである。
【００１３】
本スタジオ装置Ａはコンテナ１２を改造して、そのコンテナ本体１２ａ内にステージ部２と背景用具３と証明器具４とカメラ５と画像表示装置６とを設置する。コンテナ１２の一側壁にドア１２ｃが取り付けられ、該ドア１２ｃからコンテナ本体１２ａ内に入ってその車両前方側(ここでは運転席のある運転車両頭部を前方という。)にステージ部２を設ける。
【００１４】
前記ステージ部２にはその中央に昇降自在のステージ台２ａが設置される。ステージ台２ａは昇降自在リフト２ａ１の上にリフトの上面より一回り大きなステージ盤２ａ２を水平に配して一体化させている。本実施形態の昇降自在リフト２ａ１は株式会社をくだ屋技研製リフトテーブルコティ(型式：LT-2S10-0407)を使用する。コンテナ床面に配した該ステージ台２ａを挟んでその前後に嵩上盤７が隣接設置されており、昇降自在リフト２ａ１が最も収縮したときに、ステージ盤２ａ２の高さ(図１の鎖線)が前方側に位置する盤体７ａの高さと後方側に位置するスロープ盤７ｂの平坦部高さにほぼ一致する。スロープ盤７ｂはコンテナ後方に向けスロープ盤７ｂの平坦部から床面まで下降傾斜する斜路が設けられて、ドア１２ｃからコンテナ１２に入った後、ステージ台２ａにたどり着き易くしている。ペット８を抱きかかえてステージ台２ａに行き、該ステージ台２ａにペット８を配した後、昇降自在リフト２ａ１を伸長させると図１の実線図示のごとくステージ盤２ａ２が上昇する。高さが約１ｍまで上昇する。ステージ台２ａが上昇することによって、ペット８は高所に配されるのでおとなしくなり、ペット８の写真撮影がスムーズにいく。またステージ台２ａが高くなることによって、しゃがんで写真を撮ったりする必要がなくなり、楽な姿勢で写真撮影ができる。なおステージ台２ａ及び嵩上盤７の周りのステージ部２には、図示を省略するが、ステージ盤２ａ２が上昇する際に転んで怪我などが起こらないようクッション材が配設される。
【００１５】
前記ステージ部２の背後には背景用具３が設けられる。本実施形態の背景用具３はカーテン３ｂとカーテンレール３ａとからなる。図２に示すように、複数(ここでは３本)のカーテンレール３ａがコンテナ内側壁の上部で、ドア１２ｃ寄り地点から車両前方に向かい、さらに前壁を横切って他側壁に至り、その後、他側壁の後方部に達する所まで配設されている。該カーテンレール３ａに吊設されるカーテン３ｂがステージ部２を平面視でコ字状に取り囲んでいて(図１)、広角レンズのカメラ５で写真撮影した場合でも、カーテン３ｂで上手く背景を形成する。各カーテンレール３ａにはそれぞれ図柄の異なる背景図が描かれたカーテン３ｂが吊るされていて、ステージ部２に設置されるステージ台２ａや写真用小道具Ｑ等によって、最も似合うカーテン３ｂを選択できるようにしている。カーテン３ｂには例えば雪景色,波,鉄橋を渡る風景等が描かれる。なお、背景用具３にはカーテンレール３ａ,カーテン３ｂの組み合わせの他、図１０,図１３に示すバックスクリーン３ｃ,３ｅなども用いることができる。
【００１６】
証明器具４は写真が綺麗に撮れるようペット８を照らすものである。本実施形態はメインライト４ａがコンテナ上部の膨出部１２ｂの天井内壁に取り付けられ(図１)、フロントライト４ｃがステージ部２の後方位置(コンテナ後部)の床面１２ａ１に起立してステージ台２ａを照らすように配設され、さらにステージ盤２ａ２にアクセントライト４ｂが配設されている。カメラ５のシャッターを切った瞬間に、これらメインライト４ａ,フロントライト４ｃ,アクセントライト４ｂがライティングし、ハイライトを引き立たせ写真の出来栄えを良好にする。また、証明器具４に付随して、影を抑える図示しないレフ板が必要に応じ用いられる。
【００１７】
カメラ５はペット８を写すためのもので、ここではフィルム方式のアナログカメラ５ａとこれに同調するデジタルカメラ５ｂとを備え、さらに該デジタルカメラ５ｂに接続する画像表示装置６を備えて該画像表示装置６に前記アナログカメラ５ａの撮った写真を映し出せるようにしている。アナログカメラ５ａ,デジタルカメラ５ｂ,画像処理装置はドア１２ｃ付近のコンテナ中央部分の床面１２ａ１に設置される(図２)。
アナログカメラ５ａのシャッターとデジタルカメラ５ｂのシャッターを連動するように配線ｆ１でつなぎ、アナログカメラ５ａで撮った写真と同様のデジタル化された画像がデジタルカメラ５ｂで撮影される(図２)。そして、デジタルカメラ５ｂと画像表示装置６とを配線ｆ２で接続することによって、デジタルカメラ５ｂに映し出される画像を画像表示装置６の画面に大きく映し出せるようにしている。アナログカメラ５ａで撮った全ての写真と同様のデジタル写真を画像表示装置６の画面に次々と映し出すことができる。ペット主はそれらのなかからお気に入り写真だけを選び、しかる後、それに対応するアナログカメラ５ａのフィルムを現像して陰画をつくり、それだけを印画紙に焼き付けて所望の陽画写真を得ることができる。
【００１８】
図１,図２中、符号９１は換気扇でコンテナ１２内にペット８の臭い等が溜まらないようにするためのものである。符号９２は空調エアコンを示す。
【００１９】
ところで、ペット主はお気に入り犬等のペット８の写真を単に撮るだけでなく、小道具を使ってかわいらしい写真を得たい場合がある。図３〜図１４は写真用小道具Ｑに犬等のペット８を載せて趣きあるかわいらしい写真に仕立てようとするものである。
【００２０】
図３はイルカ模型Ｄ１の写真用小道具Ｑを示す。床面１２ａ１に基盤Ｄ２を置き、この基盤Ｄ２に支柱Ｄ３を起立させ、該支柱Ｄ３にイルカ模型Ｄ１の小道具Ｑを固着する。かくして、床面１２ａ１に起立するイルカ模型Ｄ１の写真用小道具Ｑが設けられ、これをステージ部２の床面１２ａ１に置くことによって、該小道具Ｑの所定高さの場所にペット８を配することができるようになる。基盤Ｄ２からペット８が載る小道具Ｑの所定高さまでがさほど高くない場合は、前記ステージ台２ａのステージ盤２ａ２上にイルカ模型の写真用小道具Ｑを載せてもよい。なお、図３に変え、イルカの背びれがペット８の前にくるようにして、該背びれにペット８が抱きつく格好のイルカ模型Ｄ１にすることもできる。
【００２１】
図４は床面１２ａ１から所定高さで浮いた状態に吊設される気球模型Ｅ１の写真用小道具Ｑを示す。該小道具Ｑにペット８の坐る所が形成され、この気球模型Ｅ１の写真用小道具Ｑがステージ部２のエリアに配される。ステージ部２の上方で、コンテナ本体１２ａの天井に滑車Ｅ４が取り付けられる。ロープＥ５の一端が該滑車を介して垂れ下り、該ロープＥ５は発泡スチロールで作った気球本体部分を縦通してロープＥ５の一端がカゴＥ２のロープに結束される。ペット８をカゴＥ２に入れた後、ロープ他端を引張れば、ペット８の入ったカゴＥ２の気球模型Ｅ１が床面１２ａ１から所定高さで浮いた状態になる。虹の景色をバックにした背景用具３たるカーテン３ｂが用いられてより一層趣きある写真ができる。
【００２２】
図５は床面１２ａ１から所定高さで浮いた状態に吊設される飛行機模型Ｆ１の写真用小道具Ｑを示す。該小道具Ｑにペット８の坐る所が形成され、この飛行機模型Ｆ１の写真用小道具Ｑがステージ部２のエリアに配される。ステージ部２の上方で、コンテナ本体１２ａの天井に滑車Ｆ５が取り付けられる。ロープＦ４の一端が該滑車Ｆ５を介して垂れ下り、該ロープＦ４の一端はコンテナ１２の側壁で両端部がガイドされた上下動自在の梁Ｆ６に結束される。梁Ｆ６から垂下する垂直棒Ｆ３が飛行機模型Ｆ１を支える支柱Ｆ２と連結する。透孔Ｆ３１,Ｆ２１を利用してボルト,ナットで垂直棒Ｆ３と支柱Ｆ２が連結しており、ロープ他端を引張れば、ペット８の入った飛行機模型Ｆ１が床面１２ａ１から所定高さで浮いた状態に吊設される。符号９３は扇風機で、扇風機９３をペット８に当てることによってペット８の毛がなびき、飛行機に乗っている雰囲気をつくる。なお、図５のペット８が乗る部分を大きくして、複数(例えば２,３匹)のペット８が乗るようにしてもよい。
【００２３】
図６は籠かきの籠模型Ｇ１の写真用小道具Ｑにペット８を坐らせたものである。籠かき人物Ｇ２は人形を用いている。床面１２ａ１に起立する籠かきの籠模型Ｇ１の写真用小道具Ｑが設けられ、該小道具Ｑの所定高さの場所にペット８を配することができるようになっている。該写真用小道具Ｑを全てステージ台２ａに載せれば、籠からペット８が不用意に飛び出さなくなりより好ましくなる。なお図６の籠模型Ｇ１は殿様が乗る籠模型の写真用小道具Ｑにすると、高貴な雰囲気が得られより好ましくなる。
【００２４】
図７は自動車模型Ｈ１の写真用小道具Ｑを示す。該小道具Ｑの所定高さの場所にペット８を配することができるようになっているが、自動車模型Ｈ１からペット８が不用意に飛び出さないように該写真用小道具Ｑをステージ台２ａに載せればより好ましくなる。扇風機９３で風を送り、ペット８に風になびく毛を形成し自動車に乗っている雰囲気が出せるようにしている。
【００２５】
図８,図９は新幹線模型Ｊ１の写真用小道具Ｑを示す。該小道具Ｑの先頭部Ｊ２に開口Ｊ２１を形成し、ペット８の顔が出るようにしている。図８(ロ),(ハ)のごとく、新幹線模型Ｊ１は中が空洞に作られ、先頭部Ｊ２をヒンジＪ４によって開閉可能にしている。先頭部Ｊ２を開け、空洞部に犬等のペット８を坐らせた後、先頭部Ｊ２を閉めて止め具Ｊ３でロックすれば、図８(イ),(ロ)のごとく、犬の顔が新幹線模型から外に出た写真を撮影できる。該新幹線模型Ｊ１の写真用小道具Ｑは前記ステージ台２ａに載せて撮影が行われる。
【００２６】
図１０はパラシュート模型Ｋ１の写真用小道具Ｑを示す。床面１２ａ１に起立する模型の山Ｋ２の上部に、パラシュートの下部ベルトＫ３が設けられ、このベルトＫ３にペット８が結束されてパラシュートで飛ぶペット８の写真が得られるようにしている。写真用小道具Ｑが配置されるステージ部２の背後には例えば山岳地帯等の風景が描かれたスクリーン３ｃが設置される。
【００２７】
図１１はオートバイ模型Ｍ１の写真用小道具Ｑを示す。オートバイ模型Ｍ１のハンドグリップ部分に手袋Ｍ４を固定させ、またペダル部分にシューズＭ３を固定させておき、図示のごとく犬のペット８をシートに載せると共にそれぞれの足を手袋Ｍ４,シューズＭ３に収めた後、写真を撮るようにする。シャッターを押す瞬間だけペット８の足が手袋Ｍ４,シューズＭ３に収まっていれば良好な写真が撮れる。扇風機９３で風を送り、ペット８に風になびく毛８１を演出し、発泡スチロールで作ったヘルメットＭ２が図示のごとく細い釣糸でペット８の後方斜め上方に引っ張られて、オートバイに乗っている雰囲気ある写真にする。
図１２は図１１のオートバイにさらにサイドカーＭ６を取着したオートバイ模型Ｍ１の写真用小道具Ｑを示す。ペット８が二匹いる場合などの写真撮影に打ってつけになる。
【００２８】
図１３,図１４は王様の椅子模型Ｎ１の写真用小道具Ｑである。椅子模型Ｎ１にペット８を坐らせて、写真撮影を行う。符号Ｎ２は王冠の模型である。椅子模型Ｎ１の写真用小道具Ｑによって所定高さにペット８を配することができるが、必要に応じステージ台２ａの上に該小道具Ｑを置いて写真撮影を行ってもよい。
【００２９】
なお図示を省略するが、写真用小道具Ｑに関しては、模型の馬を作ってこの馬にペット８を乗せ写真を撮るようにしたり、携帯電話の写真用小道具Ｑを作って、該携帯電話の小道具Ｑをペット８の耳に当てるようセットして写真を撮ったりしてもよい。また船模型にペットを乗せたり、カンガルー模型のポケットにペットを入れたりすることもできる。
【００３０】
このように構成したペット８用移動スタジオ付き車は、ペット主のところまで出向いてそこで写真が撮れるので、ペット主がペット８を連れて写真館まで出向かなくて済む。そして昇降自在のステージ台２ａや床面１２ａ１に起立する写真用小道具Ｑ、或いは床面から所定高さで浮いた状態に吊設される写真用小道具Ｑを設けて、床面１２ａ１から高所にペット８を配することができるので、ペット８をおとなしくさせ写真撮影を容易にする。またしゃがみ込んで写真撮影することなく、楽な姿勢で写真が撮れる。
また、図４〜図１４等に示す写真用小道具Ｑを準備することによって、ペット主の様々な要望に応えて満足度の高い写真を提供できる。
加えて、アナログカメラ５ａとこれに同調するデジタルカメラ５ｂとを具備し、さらに該デジタルカメラ５ｂに接続する画像表示装置６を具備することによって、該画像表示装置６にアナログカメラ５ａの撮った写真と同様のデジタル画面を映し出せるので、アナログカメラ５ａの写り具合を前もって確認できる。従って、そのなかから気に入った画像だけを選び出し、それだけを無駄なく現像処理して印画紙に焼き付け陽画の写真に仕上げることができる。
【００３１】
尚、本発明においては、前記実施形態に示すものに限られず、目的，用途に応じて本発明の範囲で種々変更できる。車両１,ステージ部２,背景用具３,証明器具４,カメラ５,画像表示装置６,写真用小道具Ｑ等の形状，大きさ，それらの材質等は用途に合わせて適宜選択できる。
【図面の簡単な説明】
【００３２】
【図１】本発明の移動スタジオ付き車の一形態で、その概略正面断面図である。
【図２】図１のスタジオ装置の要部平面図である。
【図３】イルカ模型の写真用小道具の説明斜視図である。
【図４】気球模型の写真用小道具の説明斜視図である。
【図５】飛行機模型の写真用小道具の説明斜視図である。
【図６】籠かきの籠模型からなる写真用小道具の説明斜視図である。
【図７】自動車模型の写真用小道具の説明斜視図である。
【図８】新幹線模型の写真用小道具の説明斜視図である。
【図９】新幹線模型の写真用小道具の説明斜視図である。
【図１０】パラシュート模型の写真用小道具の説明斜視図である。
【図１１】オートバイ模型の写真用小道具の説明斜視図である。
【図１２】オートバイ模型の写真用小道具の説明斜視図である。
【図１３】王様椅子の写真用小道具の説明斜視図である。
【図１４】王様椅子の写真用小道具の説明斜視図である。
【符号の説明】
【００３３】
１              車両
１２ａ１        床面
２              ステージ部
２ａ            ステージ台
３              背景用具
４              照明器具
５              カメラ
５ａ            アナログカメラ
５ｂ            デジタルカメラ
６              画像表示装置
８              ペット
Ｑ              写真用小道具
【図１】
0004675070.tif 000002
【図２】
0004675070.tif 000003
【図３】
0004675070.tif 000004
【図４】
0004675070.tif 000005
【図５】
0004675070.tif 000006
【図６】
0004675070.tif 000007
【図７】
0004675070.tif 000008
【図８】
0004675070.tif 000009
【図９】
0004675070.tif 000010
【図１０】
0004675070.tif 000011
【図１１】
0004675070.tif 000012
【図１２】
0004675070.tif 000013
【図１３】
0004675070.tif 000014
【図１４】
0004675070.tif 000015